(57)【要約】【課題】  展示パネルの展示の際や搬送・保管時に、展示パネルを安定して支持することを課題とする。【解決手段】  展示パネルに固着する基板と、一端を基板に枢着して回動自在に設けた回動アームとよりなり、回動アームの適宜回動箇所で回動アームを固定する固定手段を設け、回動アームを壁面等に取付けるようにした展示パネル支持具とした。【特許請求の範囲】
【請求項１】
展示パネルに固着する基板と、一端を基板に枢着して回動自在に設けた回動アームとよりなり、回動アームの適宜回動箇所で回動アームを固定する固定手段を設け、回動アームを壁面等に取付けるようにした展示パネル支持具。
【請求項２】
回動アームを固定する手段が、基板に位置決め凹部、前記凹部に対応する回動アームの箇所に位置決め凹部と嵌合する位置決め凸部を設けた展示パネル支持具。
【請求項３】
回動アームの基板に対する回動位置は６０°、左右の９０°のいずれかの展示パネル支持具。
【発明の詳細な説明】
【技術分野】
【０００１】
本発明は、展示パネル支持具に関し、特に、絵画等の展示パネルを安定的に支持できる支持具についてのものである。
【発明の開示】
【発明が解決しようとする課題】
【０００２】
絵画等の展示パネルは、通常ワイヤーで吊り下げられ不安定であり展示パネルが破損する恐れがあり、また展示パネルを搬送や保管する際、十分安定した状態で搬送・保管しなければ展示パネルを破損する恐れがある。
【０００３】
そこで、展示パネルの展示の際や搬送・保管時に、展示パネルを安定して支持する展示パネル支持具が求められる。
【課題を解決するための手段】
【０００４】
そこで、本発明は、上記の事情に鑑み、展示パネルの展示の際や搬送・保管時に、展示パネルを安定して支持する展示パネル支持具を提供すべく、展示パネルに固着する基板と、一端を基板に枢着して回動自在に設けた回動アームとよりなり、回動アームの適宜回動箇所で回動アームを固定する固定手段を設け、回動アームを壁面等に取付けるようにした展示パネル支持具とした。
【０００５】
また、本発明は、具体的には、回動アームを固定する手段が、基板に位置決め凹部、前記凹部に対応する回動アームの箇所に位置決め凹部と嵌合する位置決め凸部を設けた。
【０００６】
さらに、本発明は、回動アームの基板に対する回動位置は０°、左右の９０°の何れかである。
【発明の効果】
【０００７】
本発明は、上述のように、展示パネルに固着する基板と、一端を基板に枢着して回動自在に設けた回動アームとよりなり、回動アームの適宜回動箇所で回動アームを固定する固定手段を設け、回動アームを壁面等に取付けるようにした展示パネル支持具であるので、展示パネルの展示の際や搬送・保管時に、展示パネルを安定して支持する。
【０００８】
また、本発明は、具体的には、回動アームを固定する手段が、基板に位置決め凹部、前記凹部に対応する回動アームの箇所に位置決め凹部と嵌合する位置決め凸部を設け、さらに、本発明は、回動アームの基板に対する回動位置は０°、左右の９０°の何れかであって、展示パネルの展示の際や搬送・保管時に、展示パネルを安定して支持する。
【発明を実施するための最良の形態】
【０００９】
本発明を添付する図面の図１〜図３に基づいて、以下詳細に説明する。
【００１０】
図１は、本発明の展示パネル支持具を用いて展示パネルを吊り下げた全体の概要を示す斜視図、図２は本発明の展示パネル支持具の正面図、図３は展示パネル支持具の左側面図である。
【００１１】
図１に示すように、本発明の展示パネル支持具１は、展示パネル２の背面にビス等で固定され、ワイヤー３により吊り下げられる。ワイヤー３で吊り下げられた展示パネル２は不安定であるため、展示パネル支持具１の回動アーム４を外側に回動させてその回動アーム４を壁面にビス等で固定する。
【００１２】
搬送・保管時は、壁面でなく、取付板等にビス等で固定する。
【００１３】
次に、展示パネル支持具１を図２、図３により説明する。
【００１４】
基板５は、長方形状で、中央部に挟持片６を延出させて、回動アーム４の上端部を挟持し、回動アーム４を支軸７の回りに回動自在に設ける。
【００１５】
回動アーム４上端面と挟持片６の基部との間に三角枠状のステンレス製吊り環８を設け、この吊り環８にワイヤー３を通して展示パネル１を吊り下げる。
【００１６】
回動アーム４の支軸７を中心に水平線上および垂直線上で同一半径上にそれぞれ位置決め孔９を穿設する。垂直線上は支軸７より下方の合計３箇所の位置決め孔９を穿設し、下方の位置決め孔９が上２個の位置決め孔より若干大径に穿設し、下方で位置決めした際若干余裕があるように設定してある。
【００１７】
回動アーム４の支軸７より下方（回動アーム４を垂直状にした際）に前記位置決め孔９と嵌合する突起（図示せず）を突出させる。
【００１８】
回動アームが図２の回動アーム４が左方に突出した状態で、回動アーム４の突起は右の位置決め孔９と嵌合している。回動アーム４を回動させて垂直状とすると、回動アーム４の突起は下の位置決め孔９と嵌合している。回動アーム４を回動させて左方へ突出した状態とすると、回動アーム４の突起は左の位置決め孔９と嵌合している。回動アーム４を回動させる時は、回動アーム４の突起は位置決め孔９より出て、基板５正面上を回動する。      
【００１９】
回動アーム４には展示パネル１の背面にビスで固着するための６個の皿穴１０が設けてある。
【００２０】
また、回動アーム４の正面には位置決め穴１１を凹設し、これに対応する位置の回動アーム４の背面にステンレス製のピン１２を突設する。回動アーム１１を垂直状に回動させた際は、回動アーム４の突起が基板５の位置決め穴９に嵌合するばかりでなく、回動アーム４のピン１２が位置決め穴１１と嵌合する。
【００２１】
回動アーム４の下部には孔１３を穿設し、この孔１３を用いてビス等により壁面や搬送・運搬時の取付板に固着する。
【００２２】
回動アーム４は必要に応じて基板５に対し、左方、右方、下方に突出させて壁面あるいは取付板に取付けて展示パネル１を安定的に支持させることができる。
【実施例】
【００２３】
基板５および回動アーム４は真鍮型材でバレル加工し、基板５は２０ｍｍ×１０２．５ｍｍの大きさで、板圧３．５ｍｍであり、回動アーム４は２０ｍｍ×１４２．５ｍｍの大きさで板厚４ｍｍである。
【産業上の利用可能性】
【００２４】
本発明は、展示パネルのみならず、他の物品を安定的に支持できるものにも使用できる。
【図面の簡単な説明】
【００２５】
【図１】本発明の展示パネル支持具を用いて展示パネルを吊り下げた全体の概要を示す斜視図である。
【図２】本発明の展示パネル支持具の正面図である。
【図３】展示パネル支持具の左側面図である。
【符号の説明】
【００２６】
１…展示パネル支持具
２…展示パネル
３…ワイヤー
４…回動アーム
５…基板
６…挟持片
７…支軸
８…吊り環
９…位置決め孔（位置決め凹部の例）
１０…皿穴
１１…位置決め穴（位置決め凹部の例）
１２…ピン（位置決め凸部の例）
１３…孔
【図１】
2005103185.tif 000002
【図２】
2005103185.tif 000003
【図３】
2005103185.tif 000004
【手続補正書】
【提出日】平成15年10月2日(2003.10.2)
【手続補正１】
【補正対象書類名】特許請求の範囲
【補正対象項目名】全文
【補正方法】変更
【補正の内容】
【特許請求の範囲】
【請求項１】
展示パネルに固着する基板と、一端を基板に枢着して回動自在に設けた回動アームとよりなり、回動アームの適宜回動箇所で回動アームを固定する固定手段を設け、回動アームを壁面等に取付けるようにした展示パネル支持具。
【請求項２】
回動アームを固定する固定手段が、基板に位置決め凹部、前記凹部に対応する回動アームの箇所に位置決め凹部と嵌合する位置決め凸部を設けた請求項１記載の展示パネル支持具。
【請求項３】
回動アームの基板に対する回動位置は０°、左右の９０°の何れかである請求項１又は請求項２記載の展示パネル支持具。